(57)【要約】【課題】複数の遊技島を並べて構成される遊技施設において、メダルの洗浄にかかるコストと手間を低減する。【解決手段】中央の遊技島端に設置されたメダル補給回収装置１０Ｐを親機とし、両側の子機との間を順次渡りコンベア５０Ｌ１等でつなぐ。渡りコンベアを親機側向きの移送方向とし、子機の第１揚送機３０を駆動して汚れメダルタンク１２ＬＲから揚送したメダルを第１振分部３２Ｌ、３２Ｒにより親機側の渡りコンベアへ排出することにより、子機からの使用済みメダルが渡りコンベアを経て親機の汚れメダルタンク１２Ｐへ回収され、メダル洗浄機１３で洗浄される。洗浄されたメダルは揚送機２０から第１、第２振分部２２、２４を経て、移送方向を親機から子機側向きに切替えた渡りコンベアにより子機へ補給可能である。メダル洗浄機がひとつで済む。【選択図】図６
2008228886.tif 000002
【特許請求の範囲】
【請求項１】
複数の遊技機からなる遊技島が複数列並べられて１グループを形成し、グループ内の各遊技島に付設された補給回収装置の間にそれぞれ渡りコンベアを張り渡し、
前記補給回収装置のひとつを親機とし、親機以外の補給回収装置を子機として、
前記親機は、
使用済み遊技媒体を貯留する第１の使用済み媒体タンクと、
該第１の使用済み媒体タンクからの遊技媒体を洗浄する洗浄機と、
該洗浄機で洗浄された遊技媒体を、当該親機が付設された遊技島の遊技機に遊技媒体を供給する島補給経路または前記渡りコンベアへ振分ける第１の振分手段と、
前記渡りコンベアで移送される遊技媒体を前記第１の使用済み媒体タンクへ取り込む第１の回収手段とを備え、
前記子機は、
洗浄済み遊技媒体を貯留する洗浄済み媒体タンクと、
使用済み遊技媒体を貯留する第２の使用済み媒体タンクと、
親機側の渡りコンベアで移送される遊技媒体を前記洗浄済み媒体タンクへ取込む取込手段と、
親機側と反対側の渡りコンベアで移送される遊技媒体を前記第２の使用済み媒体タンクへ取り込む第２の回収手段と、
前記第２の使用済み媒体タンクからの遊技媒体を親機側の渡りコンベアへ送り出し可能の第２の振分手段と、
前記洗浄済み媒体タンクからの遊技媒体を、当該子機が付設された遊技島の遊技機に遊技媒体を供給する島補給経路または親機側と反対側の渡りコンベアへ振分ける第３の振分手段とを備えて、
前記渡りコンベアの移送方向を親機側向きにするとともに、子機の第２の振分手段を親機側の渡りコンベアへの送り出し位置とすることにより、子機から使用済み遊技媒体が親機の第１の使用済み媒体タンクへ回収され、
前記渡りコンベアの移送方向を親機から子機側向きにするとともに、親機の第１の振分手段を渡りコンベアへの振分け位置とし、子機の第３の振分手段を親機側と反対側の渡りコンベアへの振分け位置とすることにより、親機から洗浄済み遊技媒体が子機の洗浄済み媒体タンクへ補給されることを特徴とする遊技媒体補給回収システム。
【発明の詳細な説明】
【技術分野】
【０００１】
本発明は、例えばメダルを使用して遊技を行う複数の遊技機を並べた遊技島が複数列配置された遊技施設において、各遊技島間で洗浄済みメダルと使用済みメダルの補給回収をおこなう遊技媒体補給回収システムに関する。
【背景技術】
【０００２】
遊技島にはその一端（島端）に各遊技機へメダルを補給するとともに各遊技機から使用済みのメダルを回収する補給回収装置が設けられている。使用済みのメダルは汚れているので洗浄の必要があるが、補給回収装置から一旦回収して別途設けた洗浄機へ運びその洗浄機で洗浄した後に補給回収装置へ戻すのでは手間がかかるので、例えば特開平７−６２４号公報や特開２０００−２９６２５６号公報には、島端にメダル洗浄機を設けることによりその手間を省けるようにした装置が提案されている。
【特許文献１】特開平７−６２４号公報
【特許文献２】特開２０００−２９６２５６号公報
【発明の開示】
【発明が解決しようとする課題】
【０００３】
ところで多くの遊技施設では、遊技機を並べた遊技島は１つに止まらず、複数の遊技島を並べて構成されている。
このように多数の遊技島を設置した遊技施設では、上記特開平７−６２４号公報や特開２０００−２９６２５６号公報に示されたように個別の遊技島ごとにメダル洗浄機を設けたのでは、別途設けた洗浄機との間を往復する手間は省けるが、遊技島の数だけメダル洗浄機を設置することになり大きなコスト増大を招くとともに、実際には多数のメダル洗浄機のメンテナンスに労力を要することになる。
この問題は、メダルを使用して遊技を行う遊技施設に限らず、パチンコ玉その他を用いる遊技施設における遊技媒体の洗浄に関しても同様である。
【０００４】
したがって本発明は、上記従来の問題点に鑑み、複数の遊技島を並べて構成される遊技施設において、遊技媒体の洗浄にかかるコストと手間が低減される遊技媒体補給回収システムを提供することを目的とする。
【課題を解決するための手段】
【０００５】
このため本発明は、複数の遊技機からなる遊技島が複数列並べられて１グループを形成し、グループ内の各遊技島に付設された補給回収装置の間にそれぞれ渡りコンベアを張り渡し、補給回収装置のひとつを親機とし、親機以外の補給回収装置を子機として、
親機は、使用済み遊技媒体を貯留する第１の使用済み媒体タンクと、該使用済み媒体タンクからの遊技媒体を洗浄する洗浄機と、該洗浄機で洗浄された遊技媒体を、当該親機が付設された遊技島の遊技機に遊技媒体を供給する島補給経路または渡りコンベアへ振分ける第１の振分手段と、渡りコンベアで移送される遊技媒体を第１の使用済み媒体タンクへ取り込む第１の回収手段とを備え、
子機は、洗浄済み遊技媒体を貯留する洗浄済み媒体タンクと、使用済み遊技媒体を貯留する第２の使用済み媒体タンクと、親機側の渡りコンベアで移送される遊技媒体を洗浄済み媒体タンクへ取込む取込手段と、親機側と反対側の渡りコンベアで移送される遊技媒体を第２の使用済み媒体タンクへ取り込む第２の回収手段と、第２の使用済み媒体タンクからの遊技媒体を親機側の渡りコンベアへ送り出し可能の第２の振分手段と、洗浄済み媒体タンクからの遊技媒体を、当該子機が付設された遊技島の遊技機に遊技媒体を供給する島補給経路または親機側と反対側の渡りコンベアへ振分ける第３の振分手段とを備えて、
渡りコンベアの移送方向を親機側向きにするとともに、子機の第２の振分手段を親機側の渡りコンベアへの送り出し位置とすることにより、子機から使用済み遊技媒体が親機の第１の使用済み媒体タンクへ回収され、
渡りコンベアの移送方向を親機から子機側向きにするとともに、親機の第１の振分手段を渡りコンベアへの振分け位置とし、子機の第３の振分手段を親機側と反対側の渡りコンベアへの振分け位置とすることにより、親機から洗浄済み遊技媒体が子機の洗浄済み媒体タンクへ補給されるものとした。
【発明の効果】
【０００６】
本発明によれば、各遊技島の補給回収装置間に渡りコンベアを張り渡して、子機の使用済み遊技媒体を親機へ回収して、その使用済み遊技媒体を親機の洗浄機で洗浄するから、複数の遊技島に対して１つの洗浄機で済み、子機のコストが低減するとともに、洗浄機のメンテナンスにかかる負荷も軽減される。
さらに、渡りコンベアの移送方向を切替えるだけで子機から親機への使用済み遊技媒体の回収と、親機から子機への洗浄済み遊技媒体の補給が行われるから、渡りコンベアの数も少なくて済み、そのコスト低減とともに遊技施設の上部空間を開放的なものとすることができる。
【発明を実施するための最良の形態】
【０００７】
次に本発明の実施の形態を、遊技媒体としてメダルを使用する遊技施設に適用した例について説明する。
ここでは、図１に示すように、複数の遊技機２と各遊技機の間に設置されたメダル貸出機３とが並べられた遊技島１（１ａ〜１ｅ）が隣接して５列配置されているものとする。
各遊技島１の一端にそれぞれメダル補給回収装置１０（１０Ｌ２、１０Ｌ１、１０Ｐ、１０Ｒ１、１０Ｒ２）が設けられ、隣接するメダル補給回収装置間は順次渡りコンベア５０（５０Ｌ２、５０Ｌ１、５０Ｒ１、５０Ｒ２）で連結されている。５列中の中央に位置する遊技島１ｃのメダル補給回収装置１０Ｐを親機とし、他の遊技島のメダル補給回収装置１０Ｌ２、１０Ｌ１、１０Ｒ１、１０Ｒ２を子機として、以下、随時に親機および子機の名称で呼ぶこととする。
親機１０Ｐにはメダル洗浄機１３が設置され、子機１０Ｌ２、１０Ｌ１、１０Ｒ１、１０Ｒ２はメダル洗浄機を備えていない。
【０００８】
図２は各メダル補給回収装置の主要構成を示す図である。
親機１０Ｐは、ケース１１内に各子機から回収される使用済みメダルを貯蔵する汚れメダルタンク１２Ｐを備え、汚れメダルタンク１２Ｐの下部に接続してメダル洗浄機１３が配置されている。ケース１１内にはさらに揚送機２０が底部から上部まで延びており、メダル洗浄機１３から排出路１４を介して洗浄済みのメダルが揚送機２０の下端に排出されるようになっている。
【０００９】
揚送機２０の上端より下方には、隣接する遊技島１ｂ、１ｄの子機１０Ｌ１、１０Ｒ１との間に張り渡された渡りコンベア５０Ｌ１、５０Ｒ１の各コンベア端が互いに対向して位置している。
そして揚送機２０の上端には、振分部が設けられている。振分部は、揚送したメダルを親機１０Ｐが設置された遊技島１ｃの各遊技機２およびメダル貸出機３へ補給するための島補給経路１６またはコンベア経路１８へ選択的に振分ける第１振分部２２と、コンベア経路１８に振分けられたメダルを渡りコンベア５０Ｌ１、５０Ｒ１のコンベア端の一方または他方へ振り分ける第２振分部２４とからなる。
【００１０】
一方、渡りコンベア５０Ｌ１、５０Ｒ１の両コンベア端の下方には、当該コンベア端に対応させて汚れメダルタンク１２Ｐの上部から延び、渡りコンベア５０Ｌ１、５０Ｒ１から移送された使用済みメダルを汚れメダルタンク１２Ｐ内へ取り込む回収受け部１９が設けられている。
なお、汚れメダルタンク１２Ｐの下部には、遊技島１ｃの各遊技機２からの使用済みメダルを回収する島回収経路１７が接続している。
【００１１】
親機１０Ｐに隣接する子機１０Ｌ１、１０Ｒ１は、ケース１１内の下部に使用済みメダルを貯蔵する汚れメダルタンク１２ＬＲを備え、その上側に洗浄済みメダルを貯蔵する洗浄済みメダルタンク１５が設けられている。汚れメダルタンク１２ＬＲは親機の汚れメダルタンク１２Ｐよりも容量は小さい。
汚れメダルタンク１２ＬＲの下部には、遊技島１ｂ、１ｄの各遊技機２からの使用済みメダルを回収する島回収経路１７がそれぞれ接続している。
【００１２】
洗浄済みメダルタンク１５と汚れメダルタンク１２ＬＲの上方には、両側に隣接する遊技島の親機１０Ｐおよび子機１０Ｌ２（１０Ｒ２）との間に張り渡された渡りコンベア５０Ｌ１（５０Ｒ１）、５０Ｌ２（５０Ｒ２）の各コンベア端が互いに対向して位置している。
下端部を汚れメダルタンク１２ＬＲの底部に接続した第１揚送機３０が渡りコンベア５０Ｌ１（５０Ｒ１）よりも上方のケース内上部まで延びており、さらに下端部を洗浄済みメダルタンク１５の底部に接続した第２揚送機３５も上部まで延びている。
【００１３】
洗浄済みメダルタンク１５の上部からは親機１０Ｐ側との間に張り渡された渡りコンベア５０Ｌ１（５０Ｒ１）のコンベア端に対応させて当該コンベア端の下方に補給受け部２５が延びている。
汚れメダルタンク１２ＬＲの上部からは子機１０Ｌ２（１０Ｒ２）側との間に張り渡された渡りコンベア５０Ｌ２（５０Ｒ２）のコンベア端に対応させて当該コンベア端の下方に回収受け部１９が延びている。
【００１４】
第１揚送機３０の上端には、揚送したメダルを親機１０Ｐ側との間に張り渡された渡りコンベア５０Ｌ１（５０Ｒ１）のコンベア端または回収受け部１９へ振分ける第１振分部３２Ｌ（３２Ｒ）が設けられ、第２揚送機３５の上端には、揚送したメダルを子機１０Ｌ２（１０Ｒ２）側との間に張り渡された渡りコンベア５０Ｌ２（５０Ｒ２）のコンベア端または子機１０Ｌ１（１０Ｒ１）自体が設置された遊技島１ｂの各遊技機２およびメダル貸出機３へ補給するための島補給経路１６へ振り分ける第２振分部３７が設けられている。
【００１５】
末端列の子機１０Ｌ２、１０Ｒ２も親機に隣接する子機１０Ｌ１、１０Ｒ１と同様構造を有しているが、次に隣接する子機との渡りコンベアがケース１１内に延びてきていないために、第２揚送機３５の上端に設けられる第２振分部３７は島補給経路１６への連通状態のままで、とくに制御されない点が異なる。
【００１６】
図３は各振分部の基本構造を示す。（ａ）は縦断面図、（ｂ）は（ａ）におけるＡ−Ａ矢視図、（ｃ）は作動状態を示す（ａ）相当の図である。
振分部は、主通路４０の上下方向鉛直に延びる部分に対してその途中から斜め方向に分岐する分岐通路４２を有するように形成され、主通路４０の当該分岐部に回動軸４３周りに回動可能のフラップ状の切替弁４４を備えている。回動軸４３は主通路４０の外部へ延び、その突出端にレバー４５が固定されている。
レバー４５先端にはソレノイド４６のロッド４７にリンク連結されている。
【００１７】
ソレノイド４６がＯＦＦのとき、（ａ）に示すように、切替弁４４は主通路４０の延び方向にそった向き（ｏｆｆ）となり、ソレノイド４６がＯＮのとき、（ｃ）に示すように、ロッド４７が引き込まれて切替弁４４は分岐通路４２の延び方向にそった向き（ｏｎ）にその姿勢位置が切替えられる。
図３における４８は切替弁４４を主通路４０の延び方向にそった向きへ戻すリターンスプリングである。
【００１８】
これにより、親機１０Ｐの振分部においては、図４の（ａ）に示すように、第１振分部２２がｏｆｆであれば上方から落下するメダルはコンベア経路１８へ流れ、さらに第２振分部２４がｏｆｆならばメダルは渡りコンベア５０Ｒ１へ排出される。そして、第２振分部２４がｏｎであるときは分岐通路４２を経てメダルは渡りコンベア５０Ｌ１へ排出される。
一方、第１振分部２２がｏｎならば分岐通路４２を経て島補給経路１６へ流れることになる。
【００１９】
また、例えば子機１０Ｌ１の振分部においては、図４の（ｂ）に示すように、第１振分部３２Ｌがｏｆｆであれば上方から落下するメダルは渡りコンベア５０Ｌ１へ排出され、ｏｎならば分岐通路４２を経て回収受け部１９へ排出される。
そして、第２振分部３７がｏｆｆであれば上方から落下するメダルは島補給経路１６へ排出され、ｏｎならば分岐通路４２を経て渡りコンベア５０Ｌ２へ排出されることになる。
【００２０】
なお、親機１０Ｐより左側の子機１０Ｌ１、１０Ｌ２の第１振分部３２Ｌは主通路４０が渡りコンベア５０Ｌ１、５０Ｌ２上に向かい、分岐通路４２が回収受け部１９に向かっているのに対して、親機１０Ｐより右側の子機１０Ｒ１、１０Ｒ２の第１振分部３２Ｒは主通路４０が回収受け部１９に向かい、分岐通路４２が渡りコンベア５０Ｒ１、５０Ｒ２上に向かっているので、例えばメダルをコンベア上へガイドして排出する場合に左側の子機１０Ｌ１の第１振分部３２Ｌでは切替弁４４をｏｆｆ位置とし、右側の子機１０Ｒ１の第１振分部３２Ｒでは切替弁をｏｎ位置とすることになり、ｏｎ、ｏｆｆが逆となる。
【００２１】
親機と子機間、および子機と子機間の各渡りコンベア５０（５０Ｌ２、５０Ｌ１、５０Ｒ１、５０Ｒ２）は正逆転可能で、それぞれ１本のコンベアで一方から他方へ、および他方から一方へメダルを移送できるようになっている。
メダル補給回収装置（親機、子機）１０の各揚送機２０、３０、３５、振分部２２、２４、３２、３７および各渡りコンベア５０は図示しない制御装置に接続されている。各子機の洗浄済みメダルタンク１５にはメダル貯留量を検出する不図示のセンサが設けられ、貯留量が所定値以下になると補給要求の信号を制御装置へ出力する。制御装置は補給要求の信号その他に基づいて、揚送機、振分部、および各渡りコンベアを制御する。
【００２２】
上記構成により、子機１０Ｌ２、１０Ｌ１、１０Ｒ１、１０Ｒ２における使用済みメダルは渡りコンベア５０を介して親機１０Ｐへ回収され、親機のメダル洗浄機１３で洗浄された後、同じ渡りコンベア５０を介して子機へ補給される。
以下に、このメダル補給回収の動作について説明する。
図５は回収動作時の各部の作動および作動位置の組み合わせを示す。揚送機およびメダル洗浄機についてはその駆動状態をｏｎ、振分部については作動位置を上述のｏｎまたはｏｆｆで示し、渡りコンベアについては図２における左または右でメダルの移送方向を示している。
図６は図５の組み合わせに基づく回収動作時のメダルの移送経路を示す。
なお、図６において洗浄済みメダルタンク、および汚れメダルタンクは簡単化したイメージとして描いている。後掲の図８、図１０も同様である。
【００２３】
親機１０Ｐよりも左側の末端列の子機１０Ｌ２では、第１揚送機３０がｏｎしており、当該子機が設けられた遊技島の島回収経路１７から汚れメダルタンクへ戻ってきている使用済みメダルを上部へ揚送し、第１振分部３２Ｌは切替え弁４４がｏｆｆ位置とされて使用済みメダルを渡りコンベア５０Ｌ２上へ排出する。渡りコンベア５０Ｌ２は図６中の右方向へ使用済みメダルを移送する。
【００２４】
末端列の子機に隣接する子機１０Ｌ１では、渡りコンベア５０Ｌ２により移送されてきた使用済みメダルがコンベア端から回収受け部１９に落とされて、汚れメダルタンク１２ＬＲに収容される。
汚れメダルタンク１２ＬＲには、末端列の子機１０Ｌ２の場合と同様に、当該子機が設けられた遊技島の島回収経路１７からも使用済みメダルが汚れメダルタンク１２ＬＲへ戻ってきている。
末端列の子機と同じく、第１揚送機３０がｏｎしており、汚れメダルタンク１２ＬＲの使用済みメダルを上部へ揚送し、第１振分部３２Ｌは切替え弁４４がｏｆｆ位置とされて使用済みメダルを渡りコンベア５０Ｌ１上へ排出する。渡りコンベア５０Ｌ１は図６中右方向へ使用済みメダルを移送する。
【００２５】
親機１０Ｐよりも右側の末端列の子機１０Ｒ２でも、第１揚送機３０がｏｎしており、当該子機が設けられた遊技島の島回収経路１７から汚れメダルタンク１２ＬＲへ戻ってきている使用済みメダルを上部へ揚送し、第１振分部３２Ｒは切替え弁４４がｏｎ位置とされて使用済みメダルを渡りコンベア５０Ｒ２上へ排出する。渡りコンベア５０Ｒ２は図６中の左方向へ使用済みメダルを移送する。
【００２６】
末端列の子機の左側に隣接する子機１０Ｒ１では、渡りコンベア５０Ｒ２により移送されてきた使用済みメダルがコンベア端から回収受け部１９に落とされて、汚れメダルタンク１２ＬＲに収容される。
汚れメダルタンク１２ＬＲには、末端列の子機の場合と同様に、当該子機が設けられた遊技島の島回収経路１７からも使用済みメダルが汚れメダルタンク１２ＬＲへ戻ってきている。
末端列の子機と同じく、第１揚送機３０がｏｎしており、汚れメダルタンク１２ＬＲの使用済みメダルを上部へ揚送し、第１振分部３２Ｒは切替え弁４４がｏｎ位置とされて使用済みメダルを渡りコンベア５０Ｒ１上へ排出する。渡りコンベア５０Ｒ１は図６中左方向へ使用済みメダルを移送する。
【００２７】
親機１０Ｐでは、渡りコンベア５０Ｌ１、５０Ｒ１により移送されてきた使用済みメダルがコンベア端から回収受け部１９に落とされて、汚れメダルタンク１２Ｐに回収される。汚れメダルタンク１２Ｐには、親機が設けられた遊技島の島回収経路１７からの使用済みメダルも戻ってくる。
メダル洗浄機１３が駆動（ｏｎ）されており、汚れメダルタンク１２Ｐに回収された使用済みメダルを洗浄する。
【００２８】
常時は上述した回収動作を行っており、いずれかの子機から補給要求があると、補給動作に移る。
図７は補給動作時の各部の作動および作動位置の組み合わせを示し、図８は図７の組み合わせに基づく補給動作時のメダルの移送経路を示す。
親機１０Ｐでは、揚送機２０が駆動（ｏｎ）されており、揚送された洗浄済みメダルを第１、第２振分部２２、２４の制御により補給が必要な方向へ振り分ける。
【００２９】
すなわち、親機１０Ｐが設けられた遊技島１ｃ自体に補給が必要な場合は、第１振分部２２の切替弁４４をｏｎ位置として島補給経路１６へ洗浄済みメダルをガイドする。
図８中の左側の遊技島１０ｂへ補給が必要な場合は、左側に隣接する子機１０Ｌ１との間に張り渡された渡りコンベア５０Ｌ１を左方向への移送状態に駆動し、第１振分部２２の切替弁４４をｏｆｆ位置にするとともに、第２振分部２４の切替弁をｏｎ位置として渡りコンベア５０Ｌ１上に洗浄済みメダルをガイドし排出する。
【００３０】
一方、図８中の右側の遊技島１ｄへ補給が必要な場合は、第１振分部２２の切替弁４４をｏｆｆ位置にするとともに、第２振分部２４の切替弁をｏｆｆ位置として右側に隣接する子機１０Ｒ１との間に設けられた渡りコンベア５０Ｒ１上に洗浄済みメダルをガイドし排出し、渡りコンベア５０Ｒ１を右方向への移送状態に駆動する。
【００３１】
親機１０Ｐの左側に隣接する子機１０Ｌ１では、渡りコンベア５０Ｌ１により親機１０Ｐから移送されてきた洗浄済みメダルがそのコンベア端から補給受け部２５に落とされて、洗浄済みメダルタンク１５に収容される。
第２揚送機３５が駆動（ｏｎ）されて、洗浄済みメダルタンク１５から洗浄済みメダルを揚送し、第２振分部３７が補給の必要な方向へ振り分ける。
【００３２】
すなわち、子機１０Ｌ１が設けられた遊技島１ｂ自体に補給が必要な場合は、第２振分部３７の切替弁をｏｆｆ位置として島補給経路１６へ洗浄済みメダルをガイドする。
左側末端列の遊技島１ａへ補給が必要な場合は、末端列の子機１０Ｌ２との間に張り渡された渡りコンベア５０Ｌ２を左方向への移送状態に駆動し、第２振分部３７の切替弁をｏｎ位置として渡りコンベア５０Ｌ２上に洗浄済みメダルをガイドし排出する。
【００３３】
親機１０Ｐよりも左側の末端列の子機１０Ｌ２では、渡りコンベア５０Ｌ２により移送されてきた洗浄済みメダルがコンベア端から補給受け部２５に落とされて、洗浄済みメダルタンク１５に収容される。
第２揚送機３５が駆動（ｏｎ）され、ｏｆｆ位置の第２振分部３７を経て、洗浄済みメダルタンク１５から揚送された洗浄済みメダルを島補給経路１６へ供給する。
【００３４】
以上、メダルの補給における子機については図８中の親機１０Ｐより左側のものを例に説明したが、右側の子機についても渡りコンベア５０Ｒ１、５０Ｒ２の移送方向を右方向とする以外は同じであり、各揚送機、振分部、および渡りコンベアの作動状態は図７にｏｎ、ｏｆｆで示される。
なお、図５、図７における「−」は回収動作に直接関わらないので、ｏｎまたはｏｆｆのいずれの状態にしてもよい。
【００３５】
なお、制御装置による動作の切替えにおいては、各振分部においてメダルが流れている状態で切替弁４４の位置を切替えることはソレノイド４６に対する負荷が大きいので、補給、回収動作の切替えに際しては、一旦揚送機２０、３０、３５を停止させ、振分部内のメダルが排出されるのを待って切替える。
また、渡りコンベア５０の移送方向の切替えも、既に渡りコンベア５０上にあるメダルが移送され終わるのを待って、例えば所定時間が経過した後に行うように制御する。
【００３６】
次に、渡りコンベア５０が故障により停止したときの動作について説明する。
図９はその際の各部の作動および作動位置の組み合わせを示し、図１０は図９の組み合わせに基づくメダルの移送経路を示す。
いずれかの渡りコンベア５０が故障したときには、故障していない渡りコンベアを介したメダル移送を部分的に行っても、親機あるいは特定の子機にメダルが集中して貯留されオーバーフローなどを引き起こすおそれがあるので、ここでは渡りコンベアの故障を検知すると、制御装置は親機１０Ｐ、各子機１０Ｌ２、１０Ｌ１、１０Ｒ１、１０Ｒ２それぞれの中においてメダルを循環させる制御を行うものとする。
【００３７】
すなわち、親機１０Ｐにおいては、メダル洗浄機１３、揚送機２０および第１振分部２２をそれぞれｏｎ状態とすることにより、メダル洗浄機１３で洗浄した洗浄済みメダルを揚送機２０および第１振分部２２を経て島補給経路１６へ供給し、遊技島１ｃ内の遊技機２からの使用済みメダルを島回収経路１７から汚れメダルタンク１２Ｐへ回収して、再びメダル洗浄機１３で洗浄する循環経路を成立させる。
【００３８】
親機１０Ｐよりも左側の子機１０Ｌ２、１０Ｌ１では、第１揚送機３０と第１振分部３２Ｌをそれぞれｏｎ状態とすることにより、汚れメダルタンク１２ＬＲのメダルを第１揚送機３０および第１振分部３２Ｌを経て回収受け部１９から汚れメダルタンク１２ＬＲへ回収する循環経路を成立させる。この間、遊技島１ａや１ｂ内の遊技機２からの使用済みメダルも島回収経路１７から汚れメダルタンク１２ＬＲへ回収される。
【００３９】
親機１０Ｐよりも右側の子機１０Ｒ１、１０Ｒ２では、第１揚送機３０をｏｎ、第１振分部３２Ｒをｏｆｆ状態とすることにより、同様に汚れメダルタンク１２ＬＲのメダルを第１揚送機３０および第１振分部３２Ｒを経て回収受け部１９から汚れメダルタンク１２ＬＲへ回収する循環経路を成立させる。
このように、メダル補給回収装置（親機、子機）１０が各遊技島ごとにその内部でメダルを循環させている間に、渡りコンベア５０の故障を修繕することができる。
なお、故障していない渡りコンベアについては例えば回収動作時の向きに作動を継続していてもよい。図９中の（右）、（左）はこの状態を示している。
【００４０】
本実施の形態では、メダル補給回収装置１０（１０Ｌ２、１０Ｌ１、１０Ｐ、１０Ｒ１、１０Ｒ２）が発明における補給回収装置に該当し、メダル洗浄機１３が洗浄機に該当する。
また、汚れメダルタンク１２Ｐが第１の使用済み媒体タンクに、汚れメダルタンク１２ＬＲが第２の使用済み媒体タンクに、洗浄済みメダルタンク１５が洗浄済み媒体タンクにそれぞれ対応する。
【００４１】
親機の揚送機２０と第１振分部２２とで第１の振分手段を構成し、第１振分部２２のｏｎ位置が島補給経路への振分け位置に対応し、ｏｆｆ位置が渡りコンベアへの振分け位置に対応する。
子機の第１揚送機３０と第１振分部３２Ｌまたは３２Ｒとで第２の振分手段を構成する。そして、第１振分部３２Ｌのｏｆｆ位置あるいは第１振分部３２Ｒのｏｎ位置が親機側の渡りコンベアへの送り出し位置に対応し、第１振分部３２Ｌのｏｎ位置あるいは第１振分部３２Ｒのｏｆｆ位置が第２の回収手段への送り出し位置に対応する。
また揚送機３５と第２振分部３７とで第３の振分手段を構成し、第２振分部３７のｏｎ位置が親機側と反対側の渡りコンベアへの振分け位置に対応する。
【００４２】
渡りコンベア５０Ｌ１、５０Ｒ１の各コンベア端に親機の回収受け部１９を対応させた配置が第１の回収手段を構成し、子機における親機側と反対側の渡りコンベアのコンベア端に回収受け部１９を対応させた配置が第２の回収手段を構成する。そして、子機における親機側の渡りコンベアのコンベア端に補給受け部２５を対応させた配置が取込手段に該当する。
【００４３】
実施の形態は以上のように構成され、親機は、使用済みメダルを貯留する汚れメダルタンク１２Ｐと、その使用済みメダルを洗浄するメダル洗浄機１３と、洗浄済みメダルを揚送する揚送機２０と、揚送したメダルを島補給経路１６または渡りコンベア５０へ振分ける第１振分部２２と、渡りコンベア５０で移送されるメダルをコンベア端から受けて汚れメダルタンク１２Ｐへ回収する回収受け部１９を備え、
子機は、洗浄済みメダルを貯留する洗浄済みメダルタンク１５と、使用済みメダルを貯留する汚れメダルタンク１２ＬＲと、親機側の渡りコンベアで移送されるメダルをコンベア端から受けて洗浄済みメダルタンク１５へ取込む補給受け部２５と、親機側と反対側の渡りコンベアで移送されるメダルをコンベア端から受けて汚れメダルタンク１２ＬＲへ取り込む回収受け部１９と、汚れメダルタンク１２ＬＲからのメダルを揚送する第１揚送機３０と、揚送したメダルを親機側の渡りコンベアへ送り出し可能の第１振分部３２Ｌまたは３２Ｒと、洗浄済みメダルタンク１５からのメダルを揚送する第２揚送機３５と、揚送したメダルを島補給経路１６または親機側と反対側の渡りコンベアへ振分ける第２振分部３７とを備えるものとした。
【００４４】
そして、渡りコンベア５０の移送方向を親機１０Ｐ側向きにするとともに、子機の第１揚送機３０を駆動するとともに、第１振分部３２Ｌをｏｆｆ位置あるいは３２Ｒをｏｎ位置として親機側の渡りコンベアへメダルを排出することにより、子機から使用済みメダルが親機１０Ｐの汚れメダルタンク１２Ｐへ回収され、
渡りコンベア５０の移送方向を親機１０Ｐから子機側向きにするとともに、親機の第１振分部２２をｏｆｆ位置として渡りコンベア５０Ｌ１や５０Ｒ１へメダルを振分け、子機の第２揚送機３５を駆動するとともに、第２振分部３７をｏｎ位置として親機側と反対側の渡りコンベアへメダルを振分けることにより、親機から洗浄済みメダルが子機の洗浄済みメダルタンク１５へ補給される。
【００４５】
これにより、子機の使用済みメダルを親機へ回収して、親機のメダル洗浄機１３で洗浄するから、複数の遊技島１ａ〜１ｅに対して１つのメダル洗浄機で済み、子機のコストが低減するとともに、メダル洗浄機のメンテナンスにかかる負荷も軽減される。
さらに、メダルの回収と補給の島間経路は渡りコンベア５０の移送方向を切替えるだけで行われるから、渡りコンベア５０の数も少なくて済み、そのコスト低減とともに遊技施設の上部空間を開放的なものとすることができる。
【００４６】
また、子機の第１振分部３２Ｌ、３２Ｒは、汚れメダルタンク１２ＬＲからのメダルを親機側の渡りコンベアへ送り出し可能のほか、メダルを汚れメダルタンク１２ＬＲへ取り込む回収受け部１９へも振分け可能であるから、渡りコンベア５０の停止故障時には、回収受け部１９へ振分け排出することにより、個別の子機内でメダルを循環させておき、この間に余裕をもって故障に対する回復措置を講じることができる。
【００４７】
なお、子機と末端列の子機との間にさらに他の子機が１以上ある場合にも、それらの子機は親機に隣接する子機と同一構造となる。
なお、実施の形態では、親機を挟んで左側の子機と右側の子機とでは、同じメダルの振分け方向に対して第１振分部（３２Ｌと３２Ｒ）の切替弁がｏｆｆとｏｎの逆位置となるものとしたが、渡りコンベア５０のコンベア端および回収受け部１９の配置関係に応じて、同じメダルの振分け方向に対して切替弁の位置を統一的にｏｆｆまたはｏｎとすることもできる。
さらに実施の形態はメダルを用いた遊技施設に適用した例について説明したが、遊技媒体としてはこれに限定されず、パチンコ玉その他を用いる場合にも適用可能である。
【図面の簡単な説明】
【００４８】
【図１】実施の形態にかかる遊技施設の全体構成を示す図である。
【図２】メダル補給回収装置の主要構成を示す図である。
【図３】振分部の基本構造を示す図である。
【図４】振分部の作用を示す説明図である。
【図５】回収動作時の各部の作動状態を示す図である。
【図６】回収動作時のメダルの移送経路を示す図である。
【図７】補給動作時の各部の作動状態を示す図である。
【図８】補給動作時のメダルの移送経路を示す図である。
【図９】渡りコンベア停止時の各部の作動状態を示す図である。
【図１０】渡りコンベア停止時のメダルの移送経路を示す図である。
【符号の説明】
【００４９】
１ａ〜１ｅ    遊技島
２    遊技機
３    メダル貸出機
１０Ｐ    メダル補給回収装置（親機）
１０Ｌ２、１０Ｌ１、１０Ｒ１、１０Ｒ２    メダル補給回収装置（子機）
１１    ケース
１２Ｐ    汚れメダルタンク
１２ＬＲ    汚れメダルタンク
１３    メダル洗浄機
１４    排出路
１５    洗浄済みメダルタンク
１６    島補給経路
１７    島回収経路
１８    コンベア経路
１９    回収受け部
２０    揚送機
２２    第１振分部
２４    第２振分部
２５    補給受け部
３０    第１揚送機
３５    第２揚送機
３２Ｌ、３２Ｒ    第１振分部
３７    第２振分部
４０    主通路
４２    分岐通路
４３    回動軸
４４    切替弁
４５    レバー
４６    ソレノイド
４７    ロッド
４８    リターンスプリング
５０Ｌ２、５０Ｌ１、５０Ｒ１、５０Ｒ２    渡りコンベア
【図１】
2008228886.tif 000003
【図２】
2008228886.tif 000004
【図３】
2008228886.tif 000005
【図４】
2008228886.tif 000006
【図５】
2008228886.tif 000007
【図６】
2008228886.tif 000008
【図７】
2008228886.tif 000009
【図８】
2008228886.tif 000010
【図９】
2008228886.tif 000011
【図１０】
2008228886.tif 000012